(57)【要約】【課題】簡単に省エネ運転をすることができる空気調和機を提供する。【解決手段】この発明に係る空気調和機は、室内機と遠隔制御装置との間で双方向通信で情報を送受信する空気調和機において、室内機の前面に設けられ、当該空気調和機の省エネ運転可能時に点灯する省エネ運転可能ランプと、遠隔制御装置に設けられ、室内機に情報送信要求を行う情報要求ボタンと、遠隔制御装置に設けられ、情報要求ボタンを押した場合に室内機から送信される情報信号が表示される第一の表示部と、を備え、遠隔制御装置の情報要求ボタンを押すことにより、遠隔制御装置から情報要求信号が送信され、情報要求信号に応答して室内機が遠隔制御装置に情報信号を送信し、情報信号を受信した遠隔制御装置は、第一の表示部に情報信号を表示するものである。【選択図】図８
2014199178.tif 000002
【特許請求の範囲】
【請求項１】
室外機と室内機とリモコンとを備え、前記室内機と前記リモコンとの間で双方向に情報信号を送受信する空気調和機であって、
前記室外機は、
外気温度を測定する室外温度センサーを具備し、
前記室内機は、
当該空気調和機の冷房運転中、前記室外温度センサーが検出した外気温度が、ユーザーが設定した設定温度よりも低い場合に、前記リモコンに、送風運転への切り換えをアドバイスする省エネ運転情報を送信する送信部を有し、
前記リモコンは、
前記室内機から送信される前記省エネ運転情報を表示する表示部を備えることを特徴とする空気調和機。
【請求項２】
室外機と室内機とリモコンとを備え、前記室内機と前記リモコンとの間で双方向に情報信号を送受信する空気調和機であって、
前記室外機は、
外気温度を測定する室外温度センサーを具備し、
前記室内機は、
当該空気調和機の冷房運転中、前記室外温度センサーが検出した外気温度が、ユーザーが設定した設定温度よりも低い場合に、前記リモコンに、運転停止をアドバイスする省エネ運転情報を送信する送信部を有し、
前記リモコンは、
前記室内機から送信される前記省エネ運転情報を表示する表示部を備えることを特徴とする空気調和機。
【請求項３】
前記リモコンは、
前記省エネ運転情報の送信を要求する情報要求信号を前記室内機に送信する情報要求ボタンを有し、
前記室内機は、
前記情報要求ボタンが押されることで前記リモコンから送信される前記情報要求信号を受信すると、前記情報要求信号に応じて前記リモコンに前記送信部から前記省エネ運転情報を送信することを特徴とする請求項１または２に記載の空気調和機。
【請求項４】
前記室内機は、
前記送信部が前記省エネ運転情報に基づく省エネ運転に切り換える方法を知らせる情報を送信するものであって、
前記リモコンは、
複数のボタンを備え、
前記省エネ運転情報の表示の後で、前記表示部に、前記送風運転への切り換えもしくは前記運転停止を実行するボタンを表示することを特徴とする請求項１乃至３のいずれかに記載の空気調和機。
【請求項５】
前記リモコンの表示部は、
前記省エネ運転情報を表示する第一の表示部と、
前記第一の表示部の下方で、ユーザーが設定した設定温度を表示する第二の表示部と、を有することを特徴とする請求項１乃至４のいずれかに記載の空気調和機。
【請求項６】
前記第一の表示部は、ドットマトリクスタイプの液晶パネルを使用していることを特徴とする請求項５に記載の空気調和機。
【請求項７】
前記第一の表示部には、前記省エネ運転情報が表示される前に、現在の運転モードが表示されていることを特徴とする請求項５または６に記載の空気調和機。
【発明の詳細な説明】
【技術分野】
【０００１】
この発明は、空気調和機に関するものである。
【背景技術】
【０００２】
従来、多種多様な情報を適切にリモコンに表示できる空気調和機が提案されている。この空気調和機は、複数の運転モードを備え、リモコンと室内機本体との間で双方向通信で空気調和機の情報を送受信することの可能なもので、操作によって空気調和機の情報を要求するリクエスト信号を出力するリクエストボタンをリモコンに設け、このリクエスト信号に応答して室内機本体は空気調和機の情報を送信し、リモコンは、室内機本体から送られてきた空気調和機の情報を受信し、受信した情報をその画面上にスクロールで表示する表示部を設け、表示部に表示される情報は、その時の空気調和機の運転モードによって異ならせてある（例えば、特許文献１参照）。
【先行技術文献】
【特許文献】
【０００３】
【特許文献１】特開２００７−３０３８２１号公報
【発明の概要】
【発明が解決しようとする課題】
【０００４】
しかしながら、上記特許文献１記載の空気調和機は、ユーザーがリモコンのリクエストボタンを押すことによって室内機の情報を受信し確認することは可能だが、ユーザーが、例えば省エネ運転したいと思っても、室内機の情報の表示を見ただけでは具体的にどのように空気調和機を動作させればよいか分からないという課題があった。
【０００５】
この発明は、簡単に省エネ運転をすることができる空気調和機を提供することを目的とする。
【課題を解決するための手段】
【０００６】
この発明に係る空気調和機は、室外機と室内機とリモコンとを備え、室内機とリモコンとの間で双方向に情報信号を送受信する空気調和機であって、前記室外機は、  外気温度を測定する室外温度センサーを具備し、前記室内機は、当該空気調和機の冷房運転中、前記室外温度センサーが検出した外気温度が、ユーザーが設定した設定温度よりも低い場合に、前記リモコンに、送風運転への切り換えをアドバイスする省エネ運転情報を送信する送信部を有し、前記リモコンは、前記室内機から送信される前記省エネ運転情報を表示する表示部を備えるものである。また、この発明に係る空気調和機は、室外機と室内機とリモコンとを備え、室内機とリモコンとの間で双方向に情報信号を送受信する空気調和機であって、前記室外機は、  外気温度を測定する室外温度センサーを具備し、前記室内機は、当該空気調和機の冷房運転中、前記室外温度センサーが検出した外気温度が、ユーザーが設定した設定温度よりも低い場合に、前記リモコンに、運転停止をアドバイスする省エネ運転情報を送信する送信部を有し、前記リモコンは、前記室内機から送信される前記省エネ運転情報を表示する表示部を備えるものである。
【発明の効果】
【０００７】
この発明に係る空気調和機によれば、簡単に省エネ運転をすることができる。
【図面の簡単な説明】
【０００８】
【図１】実施の形態１を示す図で、空気調和機で使用するリモコン１の平面図。
【図２】実施の形態１を示す図で、リモコン１の送信部１２における縦断面図。
【図３】実施の形態１を示す図で、リモコン１の受信部１３における縦断面図。
【図４】実施の形態１を示す図で、空気調和機の室内機１４の斜視図。
【図５】実施の形態１を示す図で、空気調和機の室外機２１の分解斜視図。
【図６】実施の形態１を示す図で、室内機１４の省エネ運転可能ランプ１７点灯タイミングを示す図。
【図７】実施の形態１を示す図で、冷房運転において室外温度が室内温度を下回ったときにリモコン１の第一の表示部２に表示される省エネアドバイスの表示例を示す図（その１で、（ａ）は第一の表示部２に「冷房」が表示される、（ｂ）は第一の表示部２に「外気温が下がっています」が表示される、（ｃ）は第一の表示部２に「送風運転で省エネになります」が表示される）。
【図８】実施の形態１を示す図で、冷房運転において室外温度が室内温度を下回ったときにリモコン１の第一の表示部２に表示される省エネアドバイスの表示例を示す図（その２で、（ｄ）は第一の表示部２に「送風運転しますか」が表示される、（ｅ）は第一の表示部２に「はい：葉っぱボタンを押す、いいえ：除湿ボタンを押す」が表示される、（ｃ）は第一の表示部２に「送風」が表示される）。
【図９】実施の形態１を示す図で、冷房運転において設定温度を上げると省エネになることをリモコン１の第一の表示部２に表示される省エネアドバイスの表示例を示す図（その１で、（ａ）は第一の表示部２に「冷房」が表示される、（ｂ）は第一の表示部２に「設定温度を１℃上げると」が表示される、（ｃ）は第一の表示部２に「０．６円／時間省エネできます」が表示される）。
【図１０】実施の形態１を示す図で、冷房運転において設定温度を上げると省エネになることをリモコン１の第一の表示部２に表示される省エネアドバイスの表示例を示す図（その２で、（ｄ）は第一の表示部２に「設定温度を１℃上げますか」が表示される、（ｅ）は第一の表示部２に「はい：葉っぱボタンを押す、いいえ：除湿ボタンを押す」が表示される、（ｆ）は第一の表示部２に「冷房運転」、第二の表示部３に「２４．５℃」が表示される）。
【図１１】実施の形態１を示す図で、除湿運転において設定湿度に近づいた場合に冷房運転を勧める、おすすめ運転においてリモコン１の第一の表示部２に表示される、おすすめ運転アドバイスの表示例を示す図（その１で、（ａ）は第一の表示部２に「除湿」が表示される、（ｂ）は第一の表示部２に「設定湿度に近づきました」が表示される、（ｃ）は第一の表示部２に「冷房運転をおすすめします」が表示される）。
【図１２】実施の形態１を示す図で、除湿運転において設定湿度に近づいた場合に冷房運転を勧める、おすすめ運転においてリモコン１の第一の表示部２に表示される、おすすめ運転アドバイスの表示例を示す図（その２で、（ｄ）は第一の表示部２に「冷房運転にしますか」が表示される、（ｅ）は第一の表示部２に「はい：葉っぱボタンを押す、いいえ：除湿ボタンを押す」が表示される、（ｆ）は第一の表示部２に「冷房」、第二の表示部３に「２３．５°」が表示される）。
【図１３】実施の形態１を示す図で、省エネアドバイスやおすすめ運転アドバイスにより設定した運転モードを前回の設定に戻すかどうかの確認をリモコン１の第一の表示部２に表示される、表示例を示す図（（ａ）は第一の表示部２に「冷房運転を元に戻しますか」が表示される、（ｂ）は第一の表示部２に「継続：葉っぱボタンを押す、戻す：除湿ボタンを押す」が表示される）。
【図１４】実施の形態１を示す図で、リモコン１の第一の表示部２に表示される設定温度に関する省エネアドバイスの表示例を示す図（その１で、（ａ）は空気調和機が停止中で第一の表示部２に何も表示されない、（ｂ）は第一の表示部２に「アニメーション」が表示される、（ｃ）は第一の表示部２に「最新差額電気代」が表示される）。
【図１５】実施の形態１を示す図で、リモコン１の第一の表示部２に表示される設定温度に関する省エネアドバイスの表示例を示す図（その２で、（ｄ）は第一の表示部２に「アニメーション」が表示される、（ｅ）は第一の表示部２に「積算差額電気代」が表示される、（ｆ）は第一の表示部２に何も表示されない）。
【図１６】実施の形態２を示す図で、リモコン１の第一の表示部２に表示される内容を示す図（（ａ）は第一の表示部２に「目標  電気代  切  →設定」が表示され、切もしくは設定を選択する、（ｂ）は第一の表示部２に「目標電気代１０００円」が表示され具体的電気代を設定する）。
【図１７】実施の形態２を示す図で、目標電気代を超えた場合にリモコン１の第一の表示部２に表示される内容を示す図（（ａ）は第一の表示部２に「冷房」が表示される、（ｂ）は第一の表示部２に「電気代が」が表示される、（ｃ）は第一の表示部２に「設定使用料を超えました」が表示される）。
【図１８】実施の形態２を示す図で、目標電気代に近づいた場合にリモコン１の第一の表示部２に表示される内容を示す図（（ａ）は第一の表示部２に「冷房」が表示される、（ｂ）は第一の表示部２に「電気代が」が表示される、（ｃ）は第一の表示部２に「設定使用料に近づきました」が表示される）。
【図１９】実施の形態３を示す図で、空気調和機を長期間使用していない場合にリモコン１の第一の表示部２に表示される内容を示す図（（ａ）空気調和機が停止中で第一の表示部２に何も表示されない、（ｂ）は第一の表示部２に「あまり空気調和機を使用しないときは」が表示される、（ｃ）は第一の表示部２に「プラグを抜くと省エネです」が表示される）。
【発明を実施するための形態】
【０００９】
実施の形態１．
図１乃至図１５は実施の形態１を示す図で、図１は空気調和機で使用するリモコン１の平面図、図２はリモコン１の送信部１２における縦断面図、図３はリモコン１の受信部１３における縦断面図、図４は空気調和機の室内機１４の斜視図、図５は空気調和機の室外機２１の分解斜視図、図６は室内機１４の省エネ運転可能ランプ１７点灯タイミングを示す図、図７は冷房運転において室外温度が室内温度を下回ったときにリモコン１の第一の表示部２に表示される省エネアドバイスの表示例を示す図（その１で、（ａ）は第一の表示部２に「冷房」が表示される、（ｂ）は第一の表示部２に「外気温が下がっています」が表示される、（ｃ）は第一の表示部２に「送風運転で省エネになります」が表示される）、図８は冷房運転において室外温度が室内温度を下回ったときにリモコン１の第一の表示部２に表示される省エネアドバイスの表示例を示す図（その２で、（ｄ）は第一の表示部２に「送風運転しますか」が表示される、（ｅ）は第一の表示部２に「：葉っぱボタンを押す、いいえ：除湿ボタンを押す」が表示される、（ｃ）は第一の表示部２に「送風」が表示される）、図９は冷房運転において設定温度を上げると省エネになることをリモコン１の第一の表示部２に表示される省エネアドバイスの表示例を示す図（その１で、（ａ）は第一の表示部２に「冷房」が表示される、（ｂ）は第一の表示部２に「設定温度を１℃上げると」が表示される、（ｃ）は第一の表示部２に「０．６円／時間省エネできます」が表示される）、図１０は冷房運転において設定温度を上げると省エネになることをリモコン１の第一の表示部２に表示される省エネアドバイスの表示例を示す図（その２で、（ｄ）は第一の表示部２に「設定温度を１℃上げますか」が表示される、（ｅ）は第一の表示部２に「「：葉っぱボタンを押す、いいえ：除湿ボタンを押す」が表示される、（ｆ）は第一の表示部２に「冷房運転」、第二の表示部３に「２４．５℃」が表示される」、図１１は除湿運転において設定湿度に近づいた場合に冷房運転を勧める、おすすめ運転においてリモコン１の第一の表示部２に表示される、おすすめ運転アドバイスの表示例を示す図（その１で、（ａ）は第一の表示部２に「除湿」が表示される、（ｂ）は第一の表示部２に「設定湿度に近づきました」が表示される、（ｃ）は第一の表示部２に「冷房運転をおすすめします」が表示される）、図１２は除湿運転において設定湿度に近づいた場合に冷房運転を勧める、おすすめ運転においてリモコン１の第一の表示部２に表示される、おすすめ運転アドバイスの表示例を示す図（その２で、（ｄ）は第一の表示部２に「冷房運転にしますか」が表示される、（ｅ）は第一の表示部２に「：葉っぱボタンを押す、いいえ：除湿ボタンを押す」が表示される、「：葉っぱボタンを押す、いいえ：除湿ボタンを押す」が表示される、（ｆ）は第一の表示部２に「冷房」が表示される）、図１３は省エネアドバイスやおすすめ運転アドバイスにより設定した運転モードを前回の設定に戻すかどうかの確認をリモコン１の第一の表示部２に表示される、表示例を示す図（（ａ）は第一の表示部２に「冷房運転を元に戻しますか」が表示される、（ｂ）は第一の表示部２に「継続：葉っぱボタンを押す、戻す：除湿ボタンを押す」が表示される）、図１４はリモコン１の第一の表示部２に表示される設定温度に関する省エネアドバイスの表示例を示す図（その１で、（ａ）は空気調和機が停止中で第一の表示部２に何も表示されない、（ｂ）は第一の表示部２に「アニメーション」が表示される、（ｃ）は第一の表示部２に「最新差額電気代」が表示される）、図１５はリモコン１の第一の表示部２に表示される設定温度に関する省エネアドバイスの表示例を示す図（その２で、（ｄ）は第一の表示部２に「アニメーション」が表示される、（ｅ）は第一の表示部２に「積算差額電気代」が表示される、（ｆ）は第一の表示部２に何も表示されない）である。
【００１０】
図１に示すように、リモコン１（遠隔制御装置）は、最上部に省エネ運転情報（おすすめ運転や省エネアドバイスに関する情報）及び冷房、除湿、暖房、送風などの運転モードを表示可能なドットマトリクスで構成された第一の表示部２を備える。
【００１１】
第一の表示部２は、変化に富んだ画像表示を行うために、各画素を格子状に均等配列したドットマトリクスタイプの液晶パネルを使用している。
【００１２】
ドットマトリクス表示の多数の画素にそれぞれ電極の配線をしようとしても、基板周縁部にすべての端子が取り出せなくなることから、アクティブ素子を各画素に配置して駆動を行うか（アクティブマトリクス駆動）、または直交させたストライプ電極を両方の基板に設けて、その交点の液晶を駆動する（単純マトリクス駆動）ことが行われる。
【００１３】
第一の表示部２の下に時刻、設定温度、設定湿度を表示する第二の表示部３が設けられている。
【００１４】
第二の表示部３の下に、室内機１４の運転・停止を行う入／切ボタン４が設けられている。
【００１５】
入／切ボタン４の下に、温度の調節を行う温度調節ボタン１１と湿度の調節を行う湿度調節ボタン５とが左右に並べて配置されている。
【００１６】
温度の調節を行う温度調節ボタン１１と湿度の調節を行う湿度調節ボタン５の下に、運転モードを変更するボタンが設けられる。即ち、左から、冷房運転を行う冷房ボタン１０、除湿運転を行う除湿切換ボタン７、暖房運転を行う暖房ボタン６が左右に並べて配置されている。
【００１７】
これらの運転モードを変更するボタンの下に、省エネ運転の情報送信を室内機１４に要求する省エネ運転情報要求ボタンが設けられている。この省エネ運転情報要求ボタンは、葉っぱをイメージしているので、以後、省エネ運転情報要求ボタンを葉っぱボタン８と呼ぶ。
【００１８】
また、葉っぱボタン８の下に、送風運転を行う送風ボタン９などが設けられている。
【００１９】
リモコン１の内部の最上部に、室内機１４に送信を行う送信部１２、室内機１４からの信号を受信する受信部１３がある。
【００２０】
図２に示すように、室内機１４に送信を行う送信部１２は、リモコン１の内部の最上部に配置されている。送信部１２には、赤外ＬＥＤ（発光ダイオート）を使用している。
【００２１】
図３に示すように、室内機１４からの信号を受信する受信部１３は、送信部１２と並んでリモコン１の内部の最上部に配置されている。但し、図３では送信部１２は見えていない。受信部１３には、赤外線信号を受光する受光素子を使用している。
【００２２】
次に、空気調和機の室内機１４の本実施の形態に関連する部分の構成を、図４を参照しながら説明する。
【００２３】
図４に示すように、室内機１４は、その前面の調和空気の吹出口２５の上に、リモコン１の送信部１２からの赤外線信号を受信する受信部１５を備える。
【００２４】
また、受信部１５と同じ位置に、リモコン１に赤外線信号を送信する送信部１６を備える。送信部１６には、リモコン１の送信部１２と同様に、赤外ＬＥＤ（発光ダイオート）を使用している。
【００２５】
また、室内機１４の前面の任意の位置に、省エネ運転可能時に点灯する省エネ運転可能ランプ１７が設けられている。
【００２６】
また、省エネ運転可能ランプ１７はリモコン１に設けられている葉っぱボタン８に色・形状を類似させ、さらに葉っぱボタン８を押すイメージを促すように、指のマーク（形状）が表現されている（設けられている）。
【００２７】
室内機１４にはプラグ１８が設けられ、室内のコンセントより電源を供給される。
【００２８】
室内機１４と室外機２１（後述する）との情報及び制御のやりとりを行うケーブル２０が、室内機１４の背面の所定の位置に接続されている。一例では、背面から見て室内機１４の左隅に、ケーブル２０は接続されている。
【００２９】
図示はしないが、室内の空気温度を測定する温度センサーが、例えば、室内空気の吸込口２６の近傍に設けられている。室内の空気温度を測定する温度センサーは、例えば、サーミスタで構成される。
【００３０】
また、室内機１４には、床・壁の輻射熱や、人の温度を測定する赤外線センサー１９が設けられている。
【００３１】
また、図示はしないが、空気調和機の運転を制御する制御装置を構成する室内マイクロコンピュータが、例えば、室内機１４の電気品箱に収納されている。室内マイクロコンピュータには、制御に関係するプログラムが組み込まれている。
【００３２】
図５に示すように、空気調和機の室外機２１は、空気調和機の運転を制御する制御装置を構成する室外マイクロコンピュータ２２が、例えば、室外機２１の電気品箱に収納されている。
【００３３】
また、室外機２１には、室外空気温度を測定する室外温度センサー２３が内蔵されている。室外温度センサー２３は、例えば、サーミスタで構成される。
【００３４】
また、室外機２１には、冷凍サイクルを構成する圧縮機２４（冷媒を圧縮するもので、例えば、ロータリ圧縮機、スクロール圧縮機、レシプロ圧縮機などがある）、熱交換器２７（プレートフィン型）、減圧装置（電子膨張弁）、四方弁などが搭載されている。
【００３５】
また、熱交換器２７の冷媒と空気との熱交換を促進するために、熱交換器２７に送風を行う送風機２８が設けられる。送風機２８は、軸流送風機が使用される。
【００３６】
次に動作について説明する。
例えば、室温が３０℃で、空気調和機が停止している状態で、上記のように構成された空気調和機のリモコン１により、入／切ボタン４又は冷房ボタン１０で冷房運転の開始信号を送信部１２から室内機１４に送信することにより、空気調和機は運転を開始する。
【００３７】
この状態では、前回空気調和機が運転していたときの各種設定条件で、空気調和機は運転を行う。
【００３８】
ユーザーが、前回とは異なる条件で運転したい場合は、設定条件を変更する。例えば、設定温度を変更したい場合は、温度調節ボタン１１を押して設定を変更する。ユーザーが希望する設定温度は、例えば、２３．５℃とする。
【００３９】
リモコン１の送信部１２から変更設定温度（この場合は、２３．５℃）が室内機１４に送信される。そのリモコン１からの信号を室内機１４の受信部１５が受信し、室内マイクロコンピュータ（図示しない）が、冷房モードと、室温と設定温度の差のデータとを、ケーブル２０を使って室外機２１（室外マイクロコンピュータ２２）に送信する。
【００４０】
室内機１４の情報（冷房モードと、室温と設定温度の差のデータ）を受信した室外マイクロコンピュータ２２の指令により、最適な周波数（冷房モードで、室温を設定温度に速やかに近づける周波数）での運転を圧縮機２４は行う。
【００４１】
それにより空気調和機は、室温が設定温度２３．５℃になるように、そこを目指して冷房運転を行う。しばらく（所定の時間）冷房運転を行い、室温２３．５℃で運転（温調により入／切あり）をしている内に、室外温度センサー２３が検出する室外温度が２３．５℃より低い温度、例えば２０℃になったとする。
【００４２】
室外機２１の室外温度センサー２３は、室外の空気温度を２０℃と検知し、その情報（室外の空気温度２０℃）が室外マイクロコンピュータ２２から、ケーブル２０を介して室内機１４の室内マイクロコンピュータ（図示せず）に送られる。
【００４３】
室内マイクロコンピュータは、室内空気温度（２３．５℃付近）と室外機２１から送られてきた室外空気温度（２０℃）を比べ、冷房運転は不要で窓を開けることにより送風運転でも十分快適だと判断する。
【００４４】
室内マイクロコンピュータは省エネ運転可能ランプ１７の点灯指示を行う。省エネ運転可能ランプ１７が点灯時に、リモコン１の葉っぱボタン８（省エネ運転情報要求ボタン）を押すことによって、省エネ運転情報要求信号を送信部１２から送信する。
【００４５】
リモコン１の送信部１２から送信される省エネ運転情報要求信号を室内機１４の受信部１５が受信すると、室内マイクロコンピュータが応答する形で、現在の省エネ運転情報、例えば「外気温が下がっています」、「送風運転で省エネです」に対応した省エネ運転対応番号コードを送信部１６からリモコン１に送信する。
【００４６】
省エネアドバイス内容は、例えば、以下に示すようなものである。冷房運転での一例を示す。
（１）赤外線センサー関係
夏の日射、冬の低い輻射でドア／カーテンが暑く（冷たく）なり体感温度に影響がある場合の省エネアドバイスである。
「壁面に暖かい場所があります」→「カーテンドアが開いていませんか」→「閉めると省エネできます」。
（２）環境関係
設定温度より外気温度が低い状況であることを知らせる省エネアドバイスであり、これには二種類ある。下記のａは、設定温度と外気温との差が、所定値より大きい場合、下記のｂは、設定温度と外気温との差が、所定値より小さい場合である。
ａ．「外気温が下がっています」→「運転停止で省エネできます」→「運転を停止しますか」→「はい：葉っぱボタンを押す、いいえ：除湿切換ボタンを押す」。
ｂ．「外気温が下がっています」→「送風運転で省エネできます」→「送風運転にしますか」→「はい：葉っぱボタンを押す、いいえ：除湿切換ボタンを押す」。
（３）設定温度関係
設定温度の調整による省エネ効果を知らせる。
「設定温度を１℃上げると」→「＊＊＊円／時間省エネできます」→「設定温度１℃上げますか」→「はい：葉っぱボタンを押す、いいえ：除湿切換ボタンを押す」。
【００４７】
省エネ運転対応番号コードをリモコン１の受信部１３で受信することによって、省エネ対応番号コードに基づきリモコン１の第一の表示部２に省エネ運転情報表示を行う。
【００４８】
また、「設定温度を１℃上げると」、「０．６円／時間省エネできます」の場合は、省エネ運転対応コードの他「１℃」などの温度データ、「０．６円」などの金額データも設定して送信部１６からリモコン１に送信する。
【００４９】
省エネ運転対応番号コード、温度データ、金額データをリモコン１の受信部１３で受信することによって、省エネ運転対応番号、温度データ、金額データに基づきリモコン１の第一の表示部２に省エネ運転表示を行う。
【００５０】
尚、第一の表示部２の表示方法は、所定時間の文節ごとの自動スクロール、又は葉っぱボタン８を連続で押すことによってのスクロール、あるいは両方式の組合せで行う。
【００５１】
図６により室内機１４の省エネ運転可能ランプ１７の点灯タイミングについて、説明する。
【００５２】
リモコン１の入／切ボタン４を押すことにより、停止していた空気調和機の運転を開始する。空気調和機は、リモコン１で指令された運転モードで運転する。
【００５３】
空気調和機の運転を開始してから、所定時間（一例では、６０分）経過後、室内機１４は省エネ運転可能ランプ１７を点灯する。省エネ運転可能ランプ１７を点灯することにより、省エネアドバイスを室内機１４が所有していることをユーザーに知らせる（アピールする）。
【００５４】
室内機１４の省エネ運転可能ランプ１７が点灯しても、ユーザーがリモコン１を操作しない場合は、省エネ運転可能ランプ１７を所定時間（一例では、３０分）点灯後、消灯する。
【００５５】
省エネ運転可能ランプ１７を消灯後、所定時間（一例では、６０分）経過したら、再び省エネ運転可能ランプ１７を点灯する。
【００５６】
以後、上記のように点灯と消灯を繰り返す。
【００５７】
室内機１４の省エネ運転可能ランプ１７が点灯した場合、ユーザーがそれに気づいて、リモコン１の葉っぱボタン８を押して省エネ情報を要求する場合は、省エネ運転可能ランプ１７は点灯したままである。
【００５８】
但し、室内機１４がリモコン１に送信する省エネアドバイスに「はい」、「いいえ」がある場合、例えば、葉っぱボタン８又は除湿切換ボタン７で、「はい」又は「いいえ」を選択すると、省エネ運転可能ランプ１７は消灯する。
【００５９】
省エネ運転可能ランプ１７を消灯後、所定時間（一例では、６０分）経過したら、再び省エネ運転可能ランプ１７を点灯する。
【００６０】
以後、上記の動作を繰り返す。
【００６１】
室内機１４がリモコン１に送信する省エネアドバイスに「はい」、「いいえ」がない場合は、省エネアドバイスの省エネ対応番号コードに基づきリモコン１の第一の表示部２に省エネ運転情報表示を行うが、室内機１４がリモコン１に省エネアドバイスを送信後、所定時間経過後に省エネ運転可能ランプ１７を消灯する。省エネ運転可能ランプ１７を消灯後、所定時間（一例では、６０分）経過後再び省エネ運転可能ランプ１７を点灯する。
【００６２】
以後、上記の動作を繰り返す。
【００６３】
以上のように、省エネ運転のやり方がわからないユーザーにおいても、空気調和機が省エネ運転が可能な状態になった時に、室内機１４の省エネ運転可能ランプ１７が点灯することで、省エネ運転が可能なことを知らせてくれる。
【００６４】
ユーザーは、その時、葉っぱボタン８（省エネ運転情報要求ボタン）を押すことによって室内機１４からの省エネ運転情報を受信し、具体的な省エネ運転方法がリモコン１の第一の表示部２に表示されることにより、その省エネ運転方法に従ってリモコン１を操作することにより、容易に空気調和機の省エネ運転を行うことができる。
【００６５】
以上の説明では、省エネ運転表示の「実行する」「実行しない」選択画面において、葉っぱボタン８又は除湿切換ボタン７で、「はい」又は「いいえ」を押すことにより「実行する」「実行しない」の決定を行うようにしたが、「実行する」「実行しない」の決定ボタンはそれぞれ任意のボタンに設定することも可能である。
【００６６】
省エネ運転表示の「実行する」「実行しない」選択画面に対応するボタンを、それぞれリモコン１のボタンの中のいずれか一つに割り当てる。それにより、省エネ運転を行うことにおいて運転モード変更操作、温度変更操作をすることなくワンボタンで簡単に設定可能となり、省エネ運転への切換え操作が容易に実施できる。
【００６７】
例えば、「実行する」（「はい」）に対応するボタンを、葉っぱボタン８とする。また、第一の表示部２の表示方法を、葉っぱボタン８を連続で押すことによってのスクロールで行うとする。そして、省エネアドバイスが設定温度より外気温度が低い状況であることを知らせるものであり、その内容が、「外気温が下がっています」→「送風運転で省エネできます」→「送風運転にしますか」→「はい：葉っぱボタンを押す、いいえ：除湿切換ボタンを押す」の場合、送風運転にするとき、第一の表示部２の表示のスクロールに葉っぱボタン８を連続で押す流れで、送風ボタン９を押すことなく、葉っぱボタン８という一つのボタンを連続的に押すこと（ワンボタン操作）で運転モードを、冷房から送風に切換えることができ、すなわち省エネ運転への切換えを容易に行うことができる。そのため、ユーザーが省エネアドバイスに従って省エネ運転へ積極的に切換えようとする動機付けとなって、空気調和機の省エネルギー化を図ることができる。
【００６８】
省エネ運転表示の「実行する」「実行しない」選択画面において、「実行する」を決定する葉っぱボタン８が押された時に、省エネ運転表示内容での運転実行の信号をリモコン１から室内機１４に送信しそれを受信した室内機１４はリモコン１からの受信内容に基づいて省エネ運転を行う。
【００６９】
なお、「実行する」「実行しない」選択画面において、「はい」又は「いいえ」を押すボタンとして設定されたボタンは、「実行する」「実行しない」選択画面が表示されている場合には、そのボタンの本来の機能は一時的に停止させる（作用させない）ものとする。すなわち、「実行する」「実行しない」選択画面が表示されている場合には、除湿切換ボタン７を押しても、それは「いいえ」を応えることとなり、本来の機能である、除湿運転への切換えを指示する作用はなされない。また、例えば「いいえ」を応えるボタンに、湿度調節ボタン５を割り付けた場合では、「実行する」「実行しない」選択画面が表示されている場合に、その湿度調節ボタン５を押しても、リモコン１から設定湿度を変更する指示は送信されない。
【００７０】
以下、図面を参照しながら、具体的に説明する。先ず、図７、図８により、冷房運転で外気温が設定温度より下がったときの省エネアドバイスについて説明する。
【００７１】
図６で説明したように、空気調和機の運転を開始してから、所定時間（一例では、６０分）経過後、室内機１４は省エネ運転可能ランプ１７を点灯する。省エネ運転可能ランプ１７を点灯することにより、省エネアドバイスを室内機１４が所有していることをユーザーに知らせる（アピールする）。
【００７２】
この状況では、図７（ａ）に示すように、リモコン１の第一の表示部２には、「冷房」と表示されている。
【００７３】
ユーザーが葉っぱボタン８を押すと、図７（ｂ）に示すように、リモコン１の第一の表示部２には、「外気温が下がっています」と表示される。
【００７４】
続いてユーザーが葉っぱボタン８を押すまたは所定時間経過すると、図７（ｃ）に示すように、リモコン１の第一の表示部２には、「送風運転で省エネです」と表示される。
【００７５】
続いてユーザーが葉っぱボタン８を押すまたは所定時間経過すると、図８（ｄ）に示すように、リモコン１の第一の表示部２には、「送風運転にしますか」と表示される。
【００７６】
続いてユーザーが葉っぱボタン８を押すまたは所定時間経過すると、図８（ｅ）に示すように、リモコン１の第一の表示部２には、「はい：葉っぱボタンを押す、いいえ：除湿ボタンを押す」と表示される。
【００７７】
続いてユーザーが葉っぱボタン８を押すと、図８（ｆ）に示すように、リモコン１の第一の表示部２には、「送風」と表示される。空気調和機は、運転モードを「冷房」から「送風」に切換える。このとき、既に、述べたように、室内機１４の省エネ運転可能ランプ１７は消灯する。
【００７８】
図示はしないが、図８（ｅ）の状態で、除湿切換ボタン７を押すと、空気調和機は、運転モードを変更することなく冷房運転を続行し、室内機１４の省エネ運転可能ランプ１７は消灯する。
【００７９】
次に、図９、図１０により、冷房運転の場合に、設定温度を１℃上げると０．６円／時間省エネになることをユーザーに知らせる省エネアドバイスについて説明する。
【００８０】
このケースも、図６で説明したように、空気調和機の運転を開始してから、所定時間（一例では、６０分）経過後、室内機１４は省エネ運転可能ランプ１７を点灯する。省エネ運転可能ランプ１７を点灯することにより、省エネアドバイスを室内機１４が所有していることをユーザーに知らせる（アピールする）。
【００８１】
この状況では、図９（ａ）に示すように、リモコン１の第一の表示部２には、「冷房」と表示されている。
【００８２】
ユーザーが葉っぱボタン８を押すと、図９（ｂ）に示すように、リモコン１の第一の表示部２には、「設定温度を１℃上げると」と表示される。
【００８３】
続いてユーザーが葉っぱボタン８を押すまたは所定時間経過すると、図９（ｃ）に示すように、リモコン１の第一の表示部２には、「０．６円／時間省エネできます」と表示される。
【００８４】
続いてユーザーが葉っぱボタン８を押すまたは所定時間経過すると、図１０（ｄ）に示すように、リモコン１の第一の表示部２には、「設定温度を１℃上げますか」と表示される。
【００８５】
続いてユーザーが葉っぱボタン８を押すまたは所定時間経過すると、図１０（ｅ）に示すように、リモコン１の第一の表示部２には、「はい：葉っぱボタンを押す、いいえ：除湿ボタンを押す」と表示される。
【００８６】
続いてユーザーが葉っぱボタン８を押すと、図１０（ｆ）に示すように、リモコン１の第一の表示部２には、「冷房」と表示される。空気調和機は、「冷房」の運転モードを維持する。また、リモコン１の第二の表示部３には、「２４．５℃」と表示される。このとき、既に、述べたように、室内機１４の省エネ運転可能ランプ１７は消灯する。
【００８７】
図示はしないが、図１０（ｅ）の状態で、除湿切換ボタン７を押すと、空気調和機は、設定温度を変更することなく冷房運転を続行し、室内機１４の省エネ運転可能ランプ１７は消灯する。
【００８８】
このように、ユーザーは、省エネアドバイスに基づいて設定温度を２３．５℃から２４．５℃に上げる場合、第一の表示部２の表示のスクロールに葉っぱボタン８を連続で押す流れで、温度調節ボタン１１を押すことなく、葉っぱボタン８を押すことで設定温度を２３．５℃から２４．５℃に上げることができる。
【００８９】
以上のように省エネ運転状態表示で「実行する」「実行しない」選択画面で「実行する」を選択すると、運転モード変更操作、温度変更操作をすることなくワンボタン（葉っぱボタン８）で簡単に省エネ運転が可能となる。
【００９０】
また、省エネ運転状態表示以外のおすすめ運転状態表示を行い、「実行する」「実行しない」選択画面で「実行する」を葉っぱボタン８で選択、実行することによりおすすめ運転が可能となる。
【００９１】
図１１、図１２を参照しながら、おすすめ運転について説明する。
【００９２】
このケースも、空気調和機の運転を開始してから、所定時間（一例では、６０分）経過後、室内機１４は省エネ運転可能ランプ１７を点灯する。省エネ運転可能ランプ１７を点灯することにより、省エネ運転アドバイス（おすすめ運転アドバイス）を室内機１４が所有していることをユーザーに知らせる（アピールする）。
【００９３】
この状況では、図１１（ａ）に示すように、リモコン１の第一の表示部２には、「除湿」と表示されている。
【００９４】
ユーザーが葉っぱボタン８を押すと、例えば、除湿運転設定湿度４０％の状態において室内湿度が４０％に近くなったとき、図１１（ｂ）に示すように、リモコン１の第一の表示部２には、「設定湿度に近づきました」と表示される。
【００９５】
続いてユーザーが葉っぱボタン８を押すまたは所定時間経過すると、図１１（ｃ）に示すように、リモコン１の第一の表示部２には、「冷房運転をおすすめします」と表示される。
【００９６】
続いてユーザーが葉っぱボタン８を押すまたは所定時間経過すると、図１２（ｄ）に示すように、リモコン１の第一の表示部２には、「冷房運転にしますか」と表示される。
【００９７】
続いてユーザーが葉っぱボタン８を押すまたは所定時間経過すると、図１２（ｅ）に示すように、リモコン１の第一の表示部２には、「はい：葉っぱボタンを押す、いいえ：除湿ボタンを押す」と表示される。
【００９８】
続いてユーザーが葉っぱボタン８を押すと、図１２（ｆ）に示すように、リモコン１の第一の表示部２には、「冷房」と表示される。空気調和機は、運転モードを「除湿」から「冷房」に変更する。このとき、室内機１４の省エネ運転可能ランプ１７は消灯する。
【００９９】
図示はしないが、図１２（ｅ）の状態で、除湿切換ボタン７を押すと、空気調和機は、運転モードを変更することなく除湿運転を続行し、室内機１４の省エネ運転可能ランプ１７は消灯する。
【０１００】
このように、省エネ運転状態表示以外のおすすめ運転状態表示において、「実行する」「実行しない」選択画面で、葉っぱボタン８により「実行する」を選択すると、運転モード変更操作（冷房ボタン１０の操作）操作をすることなくワンボタン（葉っぱボタン８）で簡単に省エネ運転が可能となる。
【０１０１】
リモコン１の第一の表示部２には表示される省エネアドバイスは、葉っぱボタン８を押すことで文節が変わる場合を説明したが、葉っぱボタン８を押さずに所定時間が経過すると文節ごとに自動スクロールするようにしても同様の効果が得られる。
【０１０２】
また、一連の操作で設定した運転モード内容について、ユーザーが設定を変更した後、想定していた運転モードを異なる場合に、前回の運転モードに戻す操作について説明する。
【０１０３】
室内機１４に省エネ運転可能ランプ１７が点灯し、リモコン１の葉っぱボタン８を押し省エネアドバイスもしくは、おすすめ運転アドバイスにより設定したあと、省エネ運転可能ランプ１７は消灯される。
【０１０４】
省エネ運転可能ランプ１７は消灯されるときに、リモコン１の葉っぱボタン８を押すと、図１３（ａ）に示すように、リモコン１の第一の表示部２には、（ａ）に示すように第一の表示部２に「冷房運転を元に戻しますか」が表示される。
【０１０５】
続いてユーザーが葉っぱボタン８を押すまたは所定時間経過すると、リモコン１の第一の表示部２には、（ｂ）に示すように第一の表示部２に「継続：葉っぱボタンを押す、戻す：除湿ボタンを押す」が表示される。
【０１０６】
このように、省エネ運転状態表示やおすすめ運転状態表示において、「継続」「戻す」選択画面で、葉っぱボタン８により「継続」を選択すると、運転モード変更操作（冷房ボタン１０の操作）操作をすることなくワンボタン（葉っぱボタン８）で簡単にユーザー好みの運転が可能となる。
【０１０７】
次に、空気調和機が停止状態において、差額電気代＝省エネ運転未実施時の電気代−省エネ運転実施時の電気代、及び積算差額電気代（例えば、１ケ月）の情報を、リモコン１から室内機１４に対して要求し、リモコン１に表示する例について説明する。
【０１０８】
室内機１４の室内マイクロコンピュータは、空気調和機の運転時の電流を検出する回路（図示せず）から出力される電流値Ｉと、圧縮機を含む機器（圧縮機以外に、室内外の送風機など）の運転特性（回転数、電流値など）から予め定めた力率ｃｏｓθの値と、空気調和機の電源電圧Ｖから、消費電力ＷをＷ＝Ｖ・Ｉ・ｃｏｓθの関係式より算出する。
【０１０９】
また、消費電力量ｋＷｈは、検出した消費電力Ｗと運転時間ｈとを積算することで、消費電力量ｋＷｈを算出する。
【０１１０】
また、電気代は、算出した消費電力量と電気代単価（円／ｋＷｈ）との積で求める。
【０１１１】
次に、「省エネ運転未実施時の電気代」―（省エネ運転実施時の電気代）＝（差額電気代））の算出方法の一例を説明する。例えば、図８（ｅ）の状態で、ユーザーがリモコン１の葉っぱボタン８を押すと、室内機１４に対してリモコン１の送信部１２から送風運転開始信号が送信される。
【０１１２】
送風運転開始信号を室内機１４の受信部１５が受信すると、室内マイクロコンピュータから送風運転指令がケーブル２０を介して室外機２１の室外マイクロコンピュータ２２に送信される。
【０１１３】
室外マイクロコンピュータ２２は、送風運転指令であるため圧縮機２４を停止させ（室外送風機２８も停止）、室内機１４の送風機を運転する。
【０１１４】
そして、例えば、２時間送風運転後、ユーザーがリモコン１の入／切ボタン４を押して空気調和機を停止させる。
【０１１５】
その時、室内機１４の室内マイクロコンピュータは、「（省エネ運転を実施しなかった時の２時間分の冷房運転電気代）―（省エネ運転を実施した時の２時間分の送風運転電気代）＝（差額電気代）」を計算し、差額電気代情報を室内機１４の送信部１６より送信される。
【０１１６】
リモコン１は受信部１３で差額電気代情報を受信し、差額電気代を第一の表示部２に表示する。第一の表示部２に表示する最新運転時の差額電気代の表示は、キャラクターを使用してアニメーション表示で行う（図示せず）。
【０１１７】
省エネ運転を実施した時の２時間分の送風運転電気代は、検出した消費電力Ｗと運転時間ｈとを積算することで消費電力量ｋＷｈを算出し、電気代は、算出した消費電力量と電気代単価（円／ｋＷｈ）との積で求める。
【０１１８】
省エネ運転を実施しなかった時の２時間分の冷房運転電気代は、運転モードを冷房運転から送風運転に変更する直前の２時間分の冷房運転時の消費電力Ｗを記憶部（図示せず）に記憶しておき、消費電力Ｗと運転時間ｈ（２時間）とを積算することで消費電力量ｋＷｈを算出し、電気代は、算出した消費電力量と電気代単価（円／ｋＷｈ）との積で求める。
【０１１９】
このように、最新運転時の省エネ運転を実施した時の電気代と省エネ運転を実施しなかった時の差額電気代を、ユーザーがリモコン１で知ることができるので、ユーザーの省エネ運転の励行を促すことができる。
【０１２０】
また、上記差額電気代をある一定期間（例えば、１ヶ月間）、空気調和機の運転ごとに毎回積算して積算差額電気代を算出する。空気調和機の停止時に、ユーザーがリモコン１で積算差額電気代の表示を要求する場合は、室内機１４はその積算差額電気代をリモコン１に送信する。
【０１２１】
リモコン１は、第一の表示部２に積算差額電気代を表示する。これをユーザーが見ることで、一定期間（例えば、１ヶ月間）の積算差額電気代を知ることができる。
【０１２２】
積算差額電気代が１ヶ月間を超えて発生した場合は、最新の１ヶ月間よりも前のデータは破棄する。常に、最新の１ヶ月間の積算差額電気代を室内機１４は記憶部（図示せず）に記憶している。
【０１２３】
なお、ここでは積算差額電気代が１ヶ月間を超えた場合には最新の１ヶ月間よりも前のデータは破棄するようにしているが、リモコン１に積算差額電気代リセット手段（例えばリモコン１に備えられたボタンなど）を設けて、この積算差額電気代リセット手段により積算差額電気代のデータリセット（データ破棄）要求があるまでは常に差額電気代を積算し続け、積算差額電気代リセット手段により積算差額電気代のデータリセット要求があった場合に積算差額電気代のデータを破棄するようにしてもよい。
【０１２４】
また、第一の表示部２に表示する積算差額電気代の表示はキャラクターを使用してのアニメーション表示で行う。この点については、後述する。
【０１２５】
このように、最新運転時の省エネ運転を実施した時の電気代と省エネ運転を実施しなかった時の電気代との差額電気代及び積算差額電気代をリモコン１で見ることができるので、ユーザーに省エネ運転の励行を促すことができる。
【０１２６】
上記のように、差額電気代及び積算差額電気代をリモコン１の第一の表示部２にアニメーションで表示するが、その表示方法の一例を、図１４、図１５を参照しながら説明する。
【０１２７】
図１４（ａ）では、空気調和機は停止している。リモコン１の第一の表示部２にも、何も表示されていない。
【０１２８】
ユーザーが葉っぱボタン８を押すと、図１４（ｂ）に示すように、リモコン１の第一の表示部２には、「アニメーション」が表示される。なお、「アニメーション」とは、第一の表示部２に、絵や文字が、動きも有しながら表示されることを意味する。また、「アニメーション」の表示時間は、その「アニメーション」後に表示される内容に応じて変化する。
【０１２９】
しばらく「アニメーション」が続くと、図１４（ｃ）に示すように、リモコン１の第一の表示部２には、「最新差額電気代」が３秒間（所定時間）表示される。「最新差額電気代」は、例えば、上述の「（省エネ運転を実施しなかった時の２時間分の冷房運転電気代）―（省エネ運転を実施した時の２時間分の送風運転電気代）＝（差額電気代）」のことである。
【０１３０】
「最新差額電気代」が３秒間表示された後で、図１５（ｄ）に示すように、リモコン１の第一の表示部２には、図１４（ｂ）と異なる「アニメーション」が表示される。
【０１３１】
その「アニメーション」がしばらく続くと、図１５（ｅ）に示すように、リモコン１の第一の表示部２には、「積算差額電気代」が３秒間（所定時間）表示される。「積算差額電気代」は、差額電気代をある一定期間（例えば、１ヶ月間）、空気調和機の運転ごとに毎回積算して積算差額電気代を算出するものである。
【０１３２】
「積算差額電気代」が３秒間表示されたと、図１５（ｆ）に示すように、リモコン１の第一の表示部２の「アニメーション」は、非表示となる。
【０１３３】
このように、最新運転時の省エネ運転を実施した時の電気代と省エネ運転を実施しなかった時の電気代との差額電気代及び積算差額電気代を、空気調和機の停止時に、ユーザーがリモコン１の葉っぱボタン８を押すことにより確認することができる。これにより、ユーザーが省エネ運転（省エネ活動）へ貢献したことの達成感や満足感を得ることができ、より省エネルギー化を促進させることができる。
【０１３４】
さらにアニメーションは、積算差額電気代の金額に応じて内容を変化させることで（たとえば積算差額電気代の金額が１０００円以下の場合、金額のみが表示、積算差額電気代の金額が１０００〜１００００円の場合は金額に加え図１４のようにブタ等のキャラクターが出現し豪華なアニメーションにする等数種類のパターンを持たせる）より楽しく省エネルギー化を促進させることができる。
【０１３５】
実施の形態２．
図１６乃至図１８は実施の形態２を示す図で、図１６はリモコン１の第一の表示部２に表示される内容を示す図（（ａ）は第一の表示部２に「目標  電気代  切  →設定」が表示され、切もしくは設定を選択する、（ｂ）は第一の表示部２に「目標電気代１０００円」が表示され具体的電気代を設定する）、図１７は目標電気代を超えた場合にリモコン１の第一の表示部２に表示される内容を示す図（（ａ）は第一の表示部２に「冷房」が表示される、（ｂ）は第一の表示部２に「電気代が」が表示される、（ｃ）は第一の表示部２に「設定使用料を超えました」が表示される）、図１８は目標電気代に近づいた場合にリモコン１の第一の表示部２に表示される内容を示す図（（ａ）は第一の表示部２に「冷房」が表示される、（ｂ）は第一の表示部２に「電気代が」が表示される、（ｃ）は第一の表示部２に「設定使用料に近づきました」が表示される）である。
【０１３６】
以下、実施の形態２の目標電気代を設定し目標電気代に達するとユーザーにおしらせする内容について説明する。
【０１３７】
室内機１４の室内マイクロコンピュータは、空気調和機の運転時の電流を検出する回路（図示せず）から出力される電流値Ｉと、圧縮機を含む機器（圧縮機以外に、室内外の送風機など）の運転特性（回転数、電流値など）から予め定めた力率ｃｏｓθの値と、空気調和機の電源電圧Ｖから、消費電力ＷをＷ＝Ｖ・Ｉ・ｃｏｓθの関係式より算出する。
【０１３８】
また、消費電力量ｋＷｈは、検出した消費電力Ｗと運転時間ｈとを積算することで、消費電力量ｋＷｈを算出する。
【０１３９】
また、電気代は、算出した消費電力量とリモコン１で設定した電気代単価（円／ｋＷｈ）との積で求め、内マイクロコンピュータに記憶させる。
【０１４０】
次に、図１６（ａ）に示すように、リモコン１の第一の表示部２に「目標  電気代    切  →設定」が表示され、「切」もしくは「設定」を選択する。選択した内容の横に→が表示される。
【０１４１】
次に、図１６（ｂ）に示すように、リモコン１の第一の表示部２に「目標電気代１０００円」が表示され具体的電気代を設定する。
【０１４２】
設定後、設定した内容をリモコン１の送信部１２から送信される目標電気代情報信号を室内機１４の受信部１５が受信すると、室内マイクロコンピュータが目標電気代を知らせるか、また電気代がいくらのときに知らせるかを記憶させ、受信した日を基点日と設定し、基点日から３０日間の積算電気代を１ヶ月の積算電気代とする。
【０１４３】
次に「目標  電気代」＞「１ヶ月の積算電気代」となったとき条件が成立したとして室内マイクロコンピュータに記憶させる。
【０１４４】
このケースも、空気調和機の運転を開始もしくは前回省エネ運転可能ランプ１７が消灯してから、所定時間（一例では、６０分）経過後、室内機１４は省エネ運転可能ランプ１７を点灯する。省エネ運転可能ランプ１７を点灯することにより、目標電気代を超過したことをユーザーに知らせる（アピールする）。
【０１４５】
また、この場合は、他の省エネアドバイスが確定していたとしても、それらを無視し最優先でユーザーに知らせるようにアドバイス出現ランクを最上にする。
【０１４６】
例えば冷房運転で省エネ運転可能ランプ１７を点灯しているときに、ユーザーが葉っぱボタン８を押すと（図１７（ａ））、図１７（ｂ）に示すように、リモコン１の第一の表示部２には、「電気代が」と表示される。
【０１４７】
続いてユーザーが葉っぱボタン８を押すまたは所定時間経過すると、図１７（ｃ）に示すように、リモコン１の第一の表示部２には、「設定使用料を超えました」と表示される。
【０１４８】
このように、ユーザーが設定した電気代を超過したことを知らせることで、省エネ運転を心がけるきっかけを与えることが出来る。
【０１４９】
また、例えば冷房運転で省エネ運転可能ランプ１７を点灯しているときに、ユーザーが葉っぱボタン８を押すと（図１８（ａ））、ユーザーが設定した電気代に対し、たとえば８０％の金額を超過したところでリモコン１の第一の表示部２には図１８（ｂ）に示すように「電気代が」が表示される、
【０１５０】
続いてユーザーが葉っぱボタン８を押すまたは所定時間経過すると、図１８（ｃ）に示すように、リモコン１の第一の表示部２には、「設定使用料に近づきました」と表示される。
【０１５１】
このように、ユーザーが設定した電気代を超過する前に設定した電気代に近づいたことを知らせることで、その後に発生する省エネアドバイス、特に「設定温度を１℃あげますか」など、さらに省エネ運転を心がけるきっかけを与えることが出来る。
【０１５２】
実施の形態３．
図１９は実施の形態３を示す図で、空気調和機を長期間使用していない場合にリモコン１の第一の表示部２に表示される内容を示す図（（ａ）は空気調和機が停止中で第一の表示部２に何も表示されない、（ｂ）は第一の表示部２に「あまり空気調和機を使用しないときは」が表示される、（ｃ）は第一の表示部２に「プラグを抜くと省エネです」が表示される）である。
【０１５３】
以下、実施の形態３について説明する。いままで空気調和機が運転を行っている場合の省エネルギー化促進方法について説明してきた、しかし空気調和機はリモコン１からの信号を受信するために、運転を行っていない場合でも僅かではあるが待機電力が発生している。ただし空気調和機は春、秋など涼しい場合など長期間使用しない場合が存在しその場合不必要な電気を使用していることになる。このように長期間空気調和機を使用しない場合の省エネルギー化促進手段について説明する。
【０１５４】
室内機１４の室内マイクロコンピュータは、プラグ１８（図４）がブレーカ上がっているコンセントに差している場合で、ユーザーが明らかに空気調和機を運転する意志がなく（リモコン１等により、冷房・暖房・除湿等の各モードを運転しようと信号が送られないとき）本体が完全に停止している条件になると無運転通電時間としカウンターをスタートさせる。
【０１５５】
この無運転通電時間＞あらかじめ設定した時間（たとえば３３６時間（１４日間））となった条件が成立したとして室内マイクロコンピュータに記憶させる。
【０１５６】
条件が成立すると省エネ運転可能ランプ１７を点灯することにより、長期間空気調和機を使用していないことをユーザーに知らせる（アピールする）。
【０１５７】
空気調和機が停止中で、室内機１４の省エネ運転可能ランプ１７が点灯しているときに（図１９（ａ））、ユーザーが葉っぱボタン８を押すと、図１９（ｂ）に示すように、リモコン１の第一の表示部２には、「あまり空気調和機を使用しないときは」と表示される。
【０１５８】
続いてユーザーが葉っぱボタン８を押すまたは所定時間経過すると、図１９（ｃ）に示すように、リモコン１の第一の表示部２には、「プラグを抜くと省エネです」と表示される。
【０１５９】
また、運転停止中に省エネ運転可能ランプ１７を常時点灯させると逆に非省エネになるため、点灯、消灯を繰返し、例えば朝、昼、夜に各１回点灯するなど点灯する周期を決め無駄な電気を極力使用しないようにしている。
【０１６０】
このように、省エネ運転可能ランプ１７の点灯による省エネアドバイスをユーザーに知らせる内容を、空気調和機が運転しているときに特化せず、停止中の電気代のムダまで知らせることで、さらに省エネ運転を心がけるきっかけを与えることが出来る。
【符号の説明】
【０１６１】
１  リモコン、２  第一の表示部、３  第二の表示部、４  入／切ボタン、５  湿度調節ボタン、６  暖房ボタン、７  除湿切換ボタン、８  葉っぱボタン、９  送風ボタン、１０  冷房ボタン、１１  温度調節ボタン、１２  送信部、１３  受信部、１４  室内機、１５  受信部、１６  送信部、１７  省エネ運転可能ランプ、１８  プラグ、１９  赤外線センサー、２０  ケーブル、２１  室外機、２２  室外マイクロコンピュータ、２３  室外温度センサー、２４  圧縮機、２５  吹出口、２６  吸込口、２７  熱交換器、２８  送風機。
【図１】
2014199178.tif 000003
【図２】
2014199178.tif 000004
【図３】
2014199178.tif 000005
【図４】
2014199178.tif 000006
【図５】
2014199178.tif 000007
【図６】
2014199178.tif 000008
【図７】
2014199178.tif 000009
【図８】
2014199178.tif 000010
【図９】
2014199178.tif 000011
【図１０】
2014199178.tif 000012
【図１１】
2014199178.tif 000013
【図１２】
2014199178.tif 000014
【図１３】
2014199178.tif 000015
【図１４】
2014199178.tif 000016
【図１５】
2014199178.tif 000017
【図１６】
2014199178.tif 000018
【図１７】
2014199178.tif 000019
【図１８】
2014199178.tif 000020
【図１９】
2014199178.tif 000021